(57)【要約】【課題】結露が生じた状態のプレートを用いて細胞の撮影が行われることを抑制できる細胞画像観察方法及び細胞画像観察装置を提供する。【解決手段】細胞画像観察装置を用いる際には、まず、プレートが設置部に設置される。その後、第１動作処理部の制御により移動機構が動作されることで、プレートが撮影位置に移動される。そして、撮影ステップの前に、加熱部の動作により第１加熱時間だけ第１温度でプレートが加熱される。そのため、プレート上で結露が生じていた場合に、プレート上の水滴を蒸発させて除去することができる。また、撮影ステップ中には、第２温度でプレートが加熱される。そのため、撮影ステップ中において、プレートの周囲を結露が再発生しない適切な温度に保つことができる。【選択図】  図４
2019191337.tif 000002
【特許請求の範囲】
【請求項１】
プレート上に保持された細胞の画像を観察するための細胞画像観察方法であって、
前記プレートを設置部に設置する設置ステップと、
前記設置部に設置された前記プレートを撮影位置に移動させる移動ステップと、
前記撮影位置において前記プレート上の細胞の画像を撮影する撮影ステップと、
前記撮影位置において前記プレートを加熱する加熱ステップとを含み、
前記加熱ステップでは、前記撮影ステップの前に第１加熱時間だけ第１温度で前記プレートを加熱させた後、前記撮影ステップ中に前記第１温度と異なる第２温度で前記プレートを加熱させることを特徴とする細胞画像観察方法。
【請求項２】
前記第２温度は、前記第１温度よりも低いことを特徴とする請求項１に記載の細胞画像観察方法。
【請求項３】
前記撮影ステップの前に前記第１加熱時間だけ前記第１温度で前記プレートを加熱させたときに、前記プレート上で保持される細胞の温度は、細胞が死滅する第３温度よりも低いことを特徴とする請求項１又は２に記載の細胞画像観察方法。
【請求項４】
前記第２温度は、前記プレートに結露が発生する温度よりも高く、かつ、前記第３温度よりも低いことを特徴とする請求項３に記載の細胞画像観察方法。
【請求項５】
前記第１加熱時間は、外気温に応じた時間に設定されることを特徴とする請求項１〜４のいずれか一項に記載の細胞画像観察方法。
【請求項６】
プレート上に保持された細胞の画像を観察するための細胞画像観察装置であって、
前記プレートが設置される設置部と、
前記設置部に設置された前記プレートを撮影位置に移動させる移動機構と、
前記撮影位置において前記プレート上の細胞の画像を撮影する撮影部と、
前記撮影位置において前記プレートを加熱する加熱部と、
前記加熱部による加熱を制御する制御部とを備え、
前記制御部は、前記撮影部による撮影前に第１加熱時間だけ第１温度で前記プレートを加熱させた後、前記撮影部による撮影中に記第１温度と異なる第２温度で前記プレートを加熱させることを特徴とする細胞画像観察装置。
【請求項７】
前記第２温度は、前記第１温度よりも低いことを特徴とする請求項６に記載の細胞画像観察装置。
【請求項８】
前記撮影部による撮影前に前記第１加熱時間だけ前記第１温度で前記プレートを加熱させたときに、前記プレート上で保持される細胞の温度は、細胞が死滅する第３温度よりも低いことを特徴とする請求項６又は７に記載の細胞画像観察装置。
【請求項９】
前記第２温度は、前記プレートに結露が発生する温度よりも高く、かつ、前記第３温度よりも低いことを特徴とする請求項８に記載の細胞画像観察装置。
【請求項１０】
外気温を検出する外気温センサと、
外気温ごとに前記第１加熱時間を対応付けて記憶する記憶部とをさらに備え、
前記制御部は、前記外気温センサにより検出される外気温に対応する前記第１加熱時間を前記記憶部から読み出し、当該第１加熱時間だけ前記撮影部による撮影前に前記第１温度で前記プレートを加熱させることを特徴とする請求項６〜９のいずれか一項に記載の細胞画像観察装置。
【発明の詳細な説明】
【技術分野】
【０００１】
本発明は、プレート上に保持された細胞の画像を観察するための細胞画像観察方法及び細胞画像観察装置に関するものである。
【背景技術】
【０００２】
従来より、細胞の画像を観察するための細胞画像観察装置が利用されている。細胞画像観察装置では、観察対象である細胞がプレート上で保持され、このプレートが撮影位置に配置される。そして、カメラなどで構成される撮影部によって、撮影位置に位置するプレート上の細胞が撮影される（例えば、下記特許文献１参照）。
【０００３】
このようにして撮影される細胞は、例えば、プレート上で保持された状態で、専用の保管装置で保管されている。そして、撮影時には、保管装置からプレート（細胞を保持した状態のプレート）が取り出されて、そのプレートが細胞画像観察装置に設置される。
【先行技術文献】
【特許文献】
【０００４】
【特許文献１】特開平２０１６−８０５３１号公報
【発明の概要】
【発明が解決しようとする課題】
【０００５】
上記した従来の方法で細胞を観察する際に、プレート上で結露が生じるため、細胞を鮮明に撮影することができないという不具合が生じることがあった。
【０００６】
具体的には、保管装置内の空気は、細胞を死滅させないように、高温かつ高湿度に保たれている。そのため、保管装置からプレートを取り出したときには、プレート内部が高湿度の状態となっている。一方、細胞画像観察装置内は保管装置内よりも低温になっているため、プレートの温度が下がり、プレート上で結露が生じることとなる。プレート上で結露が生じると、撮影部によりプレートを撮影する際に水滴が弊害となり、細胞を鮮明に撮影することができないという不具合が生じる。
【０００７】
本発明は、上記実情に鑑みてなされたものであり、結露が生じた状態のプレートを用いて細胞の撮影が行われることを抑制できる細胞画像観察方法及び細胞画像観察装置を提供することを目的とする。
【課題を解決するための手段】
【０００８】
（１）本発明に係る細胞画像観察方法は、プレート上に保持された細胞の画像を観察するための細胞画像観察方法である。前記細胞画像観察方法は、設置ステップと、移動ステップと、撮影ステップと、加熱ステップとを含む。前記設置ステップでは、前記プレートを設置部に設置する。前記移動ステップでは、前記設置部に設置された前記プレートを撮影位置に移動させる。前記撮影ステップでは、前記撮影位置において前記プレート上の細胞の画像を撮影する。前記加熱ステップでは、前記撮影位置において前記プレートを加熱する。前記加熱ステップでは、前記撮影ステップの前に第１加熱時間だけ第１温度で前記プレートを加熱させた後、前記撮影ステップ中に前記第１温度と異なる第２温度で前記プレートを加熱させる。
【０００９】
このような方法によれば、プレート上で結露が生じていた場合に、撮影ステップの前に第１加熱時間だけ第１温度でプレートを加熱することで、プレート上の水滴を蒸発させて除去することができる。
その結果、細胞の撮影を開始する際に、プレート上に水滴が存在しない状態にしておくことができる。
【００１０】
また、撮影ステップ中には、第２温度でプレートが加熱される。
そのため、撮影ステップ中において、プレートの周囲を結露が再発生しない適切な温度に保つことができる。
その結果、撮影ステップ中において、プレート上に水滴が発生することを抑制できる。
このように、本発明に係る細胞画像観察方法によれば、結露が生じた状態のプレートを用いて細胞の撮影が行われることを抑制できる。
【００１１】
（２）また、前記第２温度は、前記第１温度よりも低くてもよい。
【００１２】
このような方法によれば、撮影ステップ中において、加熱の影響でプレート内の細胞が死滅することを抑制できる。
【００１３】
（３）また、前記撮影ステップの前に前記第１加熱時間だけ前記第１温度で前記プレートを加熱させたときに、前記プレート上で保持される細胞の温度は、細胞が死滅する第３温度よりも低くてもよい。
【００１４】
このような方法によれば、プレートを加熱させたときには、細胞の温度は、第３温度よりも低い温度に保たれる。
そのため、加熱の影響で細胞が死滅することを抑制できる。
このように、本発明に係る細胞画像観察方法によれば、細胞が死滅することを抑制できながら、プレート上の水滴を確実に蒸発させて除去することができる。
【００１５】
（４）また、前記第２温度は、前記プレートに結露が発生する温度よりも高く、かつ、前記第３温度よりも低くてもよい。
【００１６】
このような方法によれば、撮影ステップ中において、プレートの周囲を結露が再発生しない適切な温度に保つことができ、かつ、加熱の影響で細胞が死滅することを抑制できる。
（５）また、前記第１加熱時間は、外気温に応じた時間に設定されてもよい。
【００１７】
このような方法によれば、第１加熱時間を適切な時間で設定できる。
【００１８】
（６）本発明に係る細胞画像観察装置は、プレート上に保持された細胞の画像を観察するための細胞画像観察装置である。前記細胞画像観察装置は、設置部と、移動機構と、撮影部と、加熱部と、制御部とを備える。前記設置部には、前記プレートが設置される。前記移動機構は、前記設置部に設置された前記プレートを撮影位置に移動させる。前記撮影部は、前記撮影位置において前記プレート上の細胞の画像を撮影する。前記加熱部は、前記撮影位置において前記プレートを加熱する。前記制御部は、前記加熱部による加熱を制御する。前記制御部は、前記撮影部による撮影前に第１加熱時間だけ第１温度で前記プレートを加熱させた後、前記撮影部による撮影中に前記第１温度と異なる第２温度で前記プレートを加熱させる。
【００１９】
（７）また、前記第２温度は、前記第１温度よりも低くてもよい。
【００２０】
（８）また、前記撮影部による撮影前に前記第１加熱時間だけ前記第１温度で前記プレートを加熱させたときに、前記プレート上で保持される細胞の温度は、細胞が死滅する第３温度よりも低くてもよい。
【００２１】
（９）また、前記第２温度は、前記プレートに結露が発生する温度よりも高く、かつ、前記第３温度よりも低くてもよい。
【００２２】
（１０）また、前記細胞画像観察装置は、外気温センサと、記憶部とをさらに備えてもよい。前記外気温センサは、外気温を検出する。前記記憶部は、外気温ごとに前記第１加熱時間を対応付けて記憶する。前記制御部は、前記外気温センサにより検出される外気温に対応する前記第１加熱時間を前記記憶部から読み出し、当該第１加熱時間だけ前記撮影部による撮影前に前記第１温度で前記プレートを加熱させてもよい。
【００２３】
このような構成によれば、適切な時間を第１加熱時間として読出し、その時間でプレートを加熱することができる。
【発明の効果】
【００２４】
本発明によれば、プレート上で結露が生じていた場合に、撮影ステップの前に第１加熱時間だけ第１温度でプレートを加熱することで、プレート上の水滴を蒸発させて除去することができる。その結果、細胞の撮影を開始する際に、プレート上に水滴が存在しない状態にしておくことができる。また、撮影ステップ中には、第２温度でプレートが加熱される。そのため、撮影ステップ中において、プレートの周囲を結露が再発生しない適切な温度に保つことができる。その結果、撮影ステップ中において、プレート上に水滴が発生することを抑制できる。
【図面の簡単な説明】
【００２５】
【図１】本発明の一実施形態に係る細胞画像観察装置の構成を示した概略図である。
【図２】図１の細胞画像観察装置で用いるプレートの構成を示した斜視図である。
【図３】細胞画像観察装置の制御部及びその周辺の部材の電気的構成を示したブロック図である。
【図４】細胞画像観察方法を説明するためのフローチャートである。
【発明を実施するための形態】
【００２６】
１．細胞画像観察装置の構成
図１は、本発明の一実施形態に係る細胞画像観察装置１の構成を示した概略図である。
細胞画像観察装置１は、プレート２上に保持された細胞の画像を観察するための装置である。細胞画像観察装置１は、設置部３と、加熱部５と、光源部６と、撮影部７とを備えている。
【００２７】
設置部３は、プレート２を設置するためのものである。設置部３は、平面状に形成されている。設置部３の上面は、プレート２を載置するための載置面を構成している。細胞画像観察装置１では、ユーザによりプレート２が設置部３に設置される。設置部３に設置されたときのプレート２の位置が設置位置である。
【００２８】
加熱部５は、撮影位置４の近傍に配置されている。撮影位置４は、プレート２が設置位置から移動された後におけるプレート２の位置である。加熱部５は、撮影位置４に配置されたプレート２を加熱するためのものである。例えば、加熱部５は、ヒータ及びファンを備えており、これらが動作することで撮影位置４に位置するプレート２に向けて温風を流すように構成されている。
【００２９】
光源部６は、撮影位置４の上方に配置されている。撮影位置４に配置された状態のプレート２は、開口４１と対向している。光源部６は、開口４１に向けて光を照射するように構成されている。なお、加熱部５は、ヒータのみを備える構成であってもよい。
【００３０】
撮影部７は、開口４１の下方に配置されている。すなわち、撮影部７は、開口４１を挟むようにして光源部６と対向している。撮影部７は、例えば、カメラであって、撮影位置４に配置されたプレート２（プレート２上の細胞）を撮影するように構成されている。
【００３１】
細胞画像観察装置１を用いて細胞の画像を撮影する場合には、まず、ユーザにより、細胞を保持した状態のプレート２が設置部３に設置される。そして、細胞画像観察装置１に設けられた移動機構９（後述する）の動作により、プレート２が設置部３から撮影位置４に移動される。撮影位置４にプレート２が配置された状態では、プレート２の周縁部以外の部分は、開口４１に対向している。この状態で、光源部６からプレート２に向けて光が照射されるとともに、撮影部７によりプレート２（プレート２上の細胞）が撮影される。そして、撮影部７の撮影結果に基づいて、細胞の観察が行われる。
【００３２】
このようにプレート２上の細胞の観察する際に、プレート２上に結露が生じることがある。例えば、プレート２を保管している保管装置から設置部３に移動する間や、プレート２を撮影位置４に移動する間に、プレート２に結露が生じることがある。プレート２上に結露が生じた状態のまま観察が行われると、水滴が弊害となり、観察に悪影響を及ぼしてしまう。そのため、細胞画像観察装置１では、撮影位置４に配置されたプレート２に向けて加熱部５から温風が流される。この温風により、プレート２に生じた結露が除去されるとともに、撮影中において結露が再度生じることが抑制される。なお、加熱部５の詳しい動作は、後述する。
【００３３】
２．プレートの詳細構成
図２は、プレート２の構成を示した斜視図である。
プレート２は、透明な部材からなり、扁平状に形成されている。プレート２は、ベース部２１と、蓋部２２とを備えている。
【００３４】
ベース部２１は、一定の厚みを有する平板状に形成されている。ベース部２１には、複数（この例では、６個）の凹部２１１が形成されいる。各凹部２１１は、平面視円形状であって、ベース部２１の上面から下方に向かって窪んでいる。各凹部２１１は、互いに間隔を隔てて配置されている。
【００３５】
蓋部２２は、ベース部２１上に載置されている。蓋部２２は、平面視矩形状の平板状に形成されており、その周縁部に下方に向かって突出するフランジが設けられている。蓋部２２の外周縁は、ベース部２１の外周縁よりもやや大きい。
【００３６】
ベース部２１の凹部２１１には、培地及び観察対象の細胞が入れられている。蓋部２２は、ベース部２１の凹部２１１を塞ぐようにして、ベース部２１の上面に載置されている。これにより、ベース部２１の凹部２１１は、培地及び細胞が入った状態で、閉塞されている。プレート２は、この状態で専用の保管装置で保管される。そして、細胞を観察する際に、保管装置からプレート２が取り出されて、そのプレート２が細胞画像観察装置１の設置部３に設置される。
【００３７】
３．制御部及び周辺の部材の電気的構成
図３は、細胞画像観察装置１の制御部３０及びその周辺の部材の電気的構成を示したブロック図である。
細胞画像観察装置１は、上記した加熱部５及び撮影部７に加えて、外気温センサ８、移動機構９、記憶部１０及び制御部３０などを電気的構成として備えている。
【００３８】
外気温センサ８は、細胞画像観察装置１の外気温（外部温度）を検出するためのセンサである。外気温センサ８は、例えば、細胞画像観察装置１の筐体（図示せず）の表面又は外方に設けられている。
【００３９】
移動機構９は、設置部３に設置されたプレート２を撮影位置４に移動させるための機構である。移動機構９は、例えば、複数のローラ、及び、当該ローラに巻かれたベルトなどで構成される。移動機構９がこの構成である場合には、ローラが回転することでベルトが回転移動され、回転移動されるベルトによりプレート２が移動される。なお、移動機構９は、他の構成であってもよい。例えば、移動機構９は、ロボットアームなどの把持機構を備えており、この把持機構によりプレート２を把持して撮影位置４に移動させるものであってもよい。
【００４０】
記憶部１０は、ＲＯＭ（Read Only Memory）、ＲＡＭ（Random Access Memory）及びハードディスクなどにより構成されている。記憶部１０には、複数の加熱情報１０１が記憶されている。加熱情報１０１は、加熱部５の動作に関する情報であって、予め記憶部１０に記憶されている。加熱情報１０１には、温度情報１０２と、時間情報１０３とが含まれる。温度情報１０２と時間情報１０３とは、互いに対応づけられている。
温度情報１０２は、外気温の情報である。
時間情報１０３は、加熱部５を加熱する時間の情報である。具体的には、時間情報１０３は、第１加熱時間（後述する）の情報である。
【００４１】
制御部３０は、例えば、ＣＰＵ（Central Processing Unit）を含む構成である。制御部３０には、加熱部５、撮影部７、外気温センサ８、移動機構９及び記憶部１０などが電気的に接続されている。制御部３０は、ＣＰＵがプログラムを実行することにより、第１動作処理部３０１、第２動作処理部３０２及び加熱処理部３０３などとして機能する。
第１動作処理部３０１は、移動機構９の動作を制御する処理を行う。
第２動作処理部３０２は、撮影部７の動作を制御する処理を行う。
加熱処理部３０３は、外気温センサ８の検出結果、及び、記憶部１０の加熱情報１０１に基づいて、加熱部５の動作を制御する処理を行う。
【００４２】
４．細胞画像観察方法
図４は、細胞画像観察方法を説明するためのフローチャートである。
プレート２は、通常、専用の保管装置で保管されている。この保管装置内は、プレート２で保持されている細胞を死滅させないように、高温かつ高湿度に保たれている。そして、このプレート２が、ユーザにより保管装置から取り出されて設置部３に設置される（ステップＳ１０１：設置ステップ）。このときのプレート２の位置が設置位置である（図１参照）。
【００４３】
その後、第１動作処理部３０１の制御により移動機構９が動作されることで、プレート２が撮影位置に移動される（ステップＳ１０２：移動ステップ）。プレート２が撮影位置４に配置された状態では、各凹部２１１が開口４１に対向している。
【００４４】
細胞画像観察装置１内は、通常、保管装置内よりも低温である。そのため、プレート２の温度が下がり、プレート２上で結露が生じることがある。具体的には、プレート２の蓋部２２の下面や、凹部２１１の側壁などで結露が生じることがある。この場合、発生した結露は、以下のようにして除去される。
【００４５】
プレート２が撮影位置４に配置されると、加熱処理部３０３の制御により加熱部５が動作され、加熱部５からの温風がプレート２に向けて流される。このとき、加熱処理部３０３は、外気温センサ８が検出する外気温の値に基づいて、記憶部１０から加熱情報１０１を読出し、その加熱情報１０１に基づいて加熱部５を動作させる。具体的には、加熱処理部３０３は、外気温センサ８が検出する外気温の値を示す温度情報１０２を含む加熱情報１０１を読出し、その加熱情報１０１に含まれる時間情報１０３が示す時間だけ加熱部５を動作させる。すなわち、加熱処理部３０３は、外気温センサ８が検出する外気温の値から、温度情報１０２をインデックスとして加熱情報１０１を読出し、その加熱情報１０１に含まれる時間情報１０３が示す時間だけ加熱部５を動作させる。
【００４６】
このとき、加熱処理部３０３により読み出される時間情報１０３が第１加熱時間であり、加熱部５の加熱温度が第１温度である。すなわち、加熱処理部３０３は、加熱部５の加熱温度が第１温度となる状態を第１加熱時間だけ維持するように、加熱部５の動作を制御する（ステップＳ１０３：加熱ステップ）。このように、第１加熱時間は、外気温に応じた値に設定されている。
【００４７】
なお、外気温センサ８が検出する外気温の値と、温度情報１０２との値が一致しない場合には、加熱処理部３０３は、外気温センサ８が検出する外気温の値に最も近い温度情報１０２を含む加熱情報１０１を読み出してもよい。さらには、加熱処理部３０３は、記憶部１０に記憶される複数の加熱情報１０１、及び、外気温センサ８が検出する外気温の値に基づいて、線形補間法を用いることなどにより、適切な加熱時間を算出してもよい。
【００４８】
このとき、プレート２の凹部２１１内の温度（細胞の温度）は、細胞が死滅する温度（第３温度）よりも低く保たれている。
細胞が死滅する温度（第３温度）は、例えば、２５〜５０℃である。さらに、細胞が死滅する温度（第３温度）は、好ましくは、３５〜４０℃以上であり、より好ましくは、３７℃以上である。
このようにして加熱部５によりプレート２を加熱することで、プレート２で発生した結露を除去する（水滴を蒸発させる）ことができる。
【００４９】
加熱部５の動作を開始してから第１加熱時間が経過すると（ステップＳ１０４でＹＥＳ）、加熱処理部３０３は、加熱温度が第２温度となるように、加熱部５を動作させる（ステップＳ１０５）。そして、プレート２は、第２温度で加熱される。
【００５０】
このときの加熱部５の加熱温度（第２温度）は、第１温度よりも低く、かつ、細胞が死滅する温度（第３温度）よりも低い。さらには、このときの加熱部５の加熱温度（第２温度）は、プレート２に結露が発生する温度よりも高い。
これにより、プレート２上で再度結露が発生することが抑制される。
【００５１】
この状態で、光源部６からプレート２に向けて光が照射されるとともに、撮影部７によりプレート２（凹部２１１内の細胞）の撮影が開始される（ステップＳ１０６：撮影ステップ）。そして、撮影部７の撮影結果に基づいて、細胞の観察が行われる。
【００５２】
加熱部５による第２温度での加熱は、第２温度での加熱部５の動作が開始されてから（ステップＳ１０５の処理が開始されてから）一定時間が経過するまで継続される。ステップＳ１０５の処理から一定時間が経過すると（ステップＳ１０７でＹＥＳ）、加熱部５の動作が停止されて、撮影部７による細胞の撮影が完了する。
【００５３】
５．作用効果
（１）本実施形態によれば、細胞画像観察装置１を用いる際には、まず、プレート２が設置部３に設置される（図４のステップＳ１０１：設置ステップ）。その後、第１動作処理部３０１の制御により移動機構９が動作されることで、プレート２が撮影位置４に移動される（ステップＳ１０２：移動ステップ）。そして、撮影ステップの前に、加熱部５の動作により第１加熱時間だけ第１温度でプレート２が加熱される。
【００５４】
そのため、プレート２上で結露が生じていた場合に、撮影ステップの前に第１加熱時間だけ第１温度でプレート２を加熱することで、プレート２上の水滴を蒸発させて除去することができる。
その結果、細胞の撮影を開始する際に、プレート２上に水滴が存在しない状態にしておくことができる。
【００５５】
また、撮影ステップ中には、第２温度でプレートが加熱される。
そのため、撮影ステップ中において、プレート２の周囲を結露が再発生しない適切な温度に保つことができる。
その結果、撮影ステップ中において、プレート２に水滴が発生することを抑制できる。
【００５６】
（２）また、本実施形態によれば、第２温度は、第１温度よりも低い。
そのため、撮影ステップ中において、加熱の影響でプレート内の細胞が死滅することを抑制できる。
【００５７】
（３）また、本実施形態によれば、撮影ステップの前に、加熱部５により第１加熱時間だけ第１温度でプレート２を加熱させたときに、プレート２上で保持される細胞の温度は、第３温度よりも低く保たれる。
【００５８】
そのため、プレート２を加熱させたときには、プレート２内の細胞の温度は、第３温度よりも低い温度に保たれる。
そのため、加熱の影響で細胞が死滅することを抑制できる。
【００５９】
（４）また、本実施形態によれば、撮影ステップ中の加熱部５の加熱温度である第２温度は、プレート２に結露が発生する温度よりも高く、かつ、第３温度よりも低い。そして、プレート２内の細胞の温度は、第３温度よりも低く保たれる。
【００６０】
そのため、撮影ステップ中において、プレート２の周囲を結露が再発生しない適切な温度に保つことができ、かつ、加熱の影響で細胞が死滅することを抑制できる。
【００６１】
（５）また、本実施形態によれば、第１加熱時間は、外気温に応じた時間に設定される。
そのため、第１加熱時間を適切な時間で設定できる。
【００６２】
具体的には、細胞画像観察装置１は、外気温センサ８と、記憶部１０とを備えている。記憶部１０には、複数の加熱情報１０１が記憶されている。加熱情報１０１は、温度情報１０２と、時間情報１０３とを含んでおり、これらは互いに対応づけられている。加熱処理部３０３は、外気温センサ８が検出する外気温の値から、温度情報１０２をインデックスとして加熱情報１０１を読出し、その加熱情報１０１に含まれる時間情報１０３が示す時間を第１加熱時間として加熱部５を動作させる。
【００６３】
そのため、適切な時間を第１加熱時間として読出し、その時間でプレート２を加熱することができる。
【符号の説明】
【００６４】
１      細胞画像観察装置
２      プレート
３      設置部
５      加熱部
７      撮影部
８      外気温センサ
９      移動機構
１０    記憶部
３０    制御部
１０１  加熱情報
１０２  温度情報
１０３  時間情報
３０３  加熱処理部
【図１】
2019191337.tif 000003
【図２】
2019191337.tif 000004
【図３】
2019191337.tif 000005
【図４】
2019191337.tif 000006